(57)【特許請求の範囲】
【請求項１】
用紙ガイド板に固定されている固定刄と、該固定刄と係合しかつ該固定刄に沿って移動する回転可能な移動刄と、該移動刄を支承しスライドレールに沿って移動するケースと、該移動ケースをスライドレールに沿って搬送させる搬送装置と、前記用紙ガイド板に固定された固定刄に対面して設けられ、これに用紙を押え付けるよう作用する押付用紙ガイド板と、該用紙ガイド板を固定刄より離間させるため該用紙ガイド板の両端に固定されている解除板と、該用紙ガイド板の両端に取付けられ該用紙を前記固定刄に押し付けるよう作用するスプリングと、前記移動ケースに固定され、前記解除板を固定刄より離間させるよう解除板に係合する係合子、とを備え、前記押付用紙ガイド板は、その基部がスライドレールに形成された長溝に揺動可能に挿入支承されていることを特徴とする回転式カッターユニット。
【請求項２】
用紙切断に際して、固定刄に押付けられて用紙を挟むよう作用する押付用紙ガイド板に、マイラーを重畳させたことを特徴とする請求項１記載の回転式カッターユニット。
【発明の詳細な説明】
【０００１】
【産業上の利用分野】
本発明は、複写機、プロッターなどにおける転写用ロール紙をカットするための回転式カッターユニットに関する。
【０００２】
【従来の技術】
用紙をガイドするためのガイド板は２枚対面してその間を用紙が案内されるよう構成されているが、固定刃に沿って移動刃を移動することにより用紙切断を行う場合、図５に示すように、用紙を確実に保持固定しておかないと、移動刃に用紙が押されて傾き、斜め切れ現象が生じる恐れがある。
【０００３】
このため、固定刃に対して用紙を動かないよう一方のガイド板によりロール紙切断時のロール紙の押さえを行うようにしている。
【０００４】
【発明が解決しようとする課題】
しかし、複写機、プロッター等の転写用ロールロール紙をカットするための回転式カッターユニットにおいて、ロール紙切断時の押え精度は、ガイド板をはじめとするその関連の部品精度のバラツキにより大きく変動する。
例えばガイド板は長手部品となっているため、回動自在に支軸により支承されていても反り易く、また、組付け後も撓みが発生し、ロール紙を確実に押えることが困難で、ロール紙切断時の負荷等によりロール紙位置がずれて斜め切れになったりする。本発明は、押付用紙ガイド板の基部をスライドレールに形成した長溝に回動自在に挿入支承させることにより、ガイド板の反りを矯正し、撓みを防ぐことで用紙を確実に押えることができるようにしようとするものである。
【０００５】
【課題を解決するための手段】本発明は、上記従来の欠点を改善しようとするもので、下記のように構成されている。
（１）  用紙ガイド板に固定されている固定刄と、該固定刄と係合しかつ該固定刄に沿って移動する回転可能な移動刄と、該移動刄を支承しスライドレールに沿って移動するケースと、該移動するケースをスライドレールに沿って搬送させる搬送装置と、前記用紙ガイド板に固定された固定刄に対面して設けられ、これに用紙を押え付けるよう作用する押付用紙ガイド板と、該用紙ガイド板を固定刄より離間させるため該用紙ガイド板の両端に固定されている解除板と、該用紙ガイド板の両端に取付けられ該用紙を前記固定刄に押し付けるよう作用するスプリングと、前記移動ケースに固定され、前記解除板を固定刄より離間させるよう解除板に係合する係合子、とを備え、前記押付用紙ガイド板は、その基部がスライドレールに形成された長溝に揺動可能に挿入支承されていることを特徴とする回転式カッターユニット。
（２）  用紙切断に際して、固定刄に押付けられて用紙を挟むよう作用する押付用紙ガイド板に、マイラーを重畳させてなる上記（１）記載の回転式カッターユニット。
【０００６】
【作用】
本発明においては、押付用紙ガイド板の基部を、剛体のスライドレールに形成された長溝に回動自在に挿入支承させるようにしたので、長手部品であるガイド板が撓みを生ずることなく確実に用紙を押えることができるようになる。また、腰の弱いマイラーを張り付けた押付用紙ガイド板を用いることにより、用紙の押えをより広い面で行うことができる。
【０００７】
【実施例】
図１〜図４は本発明の実施例を示すもので、図１はその縦断面図、図２は図１における移動ケース、スライドレール、押付用紙ガイドの関係を示す拡大図、図３は全体構成を示す平面図、図４は図１のＡ部分の拡大図、である。
【０００８】
図１に示すように、ロール紙が下方の給紙装置（図示省略）より、矢印で示すように、ガイド板９の下側とスライドレール下端に形成されたガイド14d の間に送られ、ガイド板９に取付られた固定刃８と、スライドレール14に取付られた押付用紙ガイド板８の間を通って上方に導かれる。この場合、固定刃８を取付けたガイド板９と押付用紙ガイド板７とは離間されている。
【０００９】
複写機などの内蔵ＣＰＵからの信号によりロール紙の搬送が止まり、同時に待機位置にいた移動刃３を含む移動ケース15が、モーター16，ギヤプーリー19，駆動ワイヤー13，スプリングワイヤー11よりなる搬送機構により、スライドレール14に沿って動き出し、移動刃３と固定刃８が係合しロール紙をカットしていく。なお、移動ケース15には、これを手動で動かすための把手１付移動板２が取付けられており、また、移動ケース15をスライドレール14に沿って移動支承するためのローラ22，23が設けられている。
【００１０】
また、図１、図３に示すように、押付用紙ガイド板７の両端には、解除板６，24が設けられており、これとスライドレール14に沿って移動する移動ケースに取付けられた移動板２に設けた係合子２b との係合により、ガイド板７と固定板８との間は離間された状態にある。そして、図２に示すように、移動ケース15にはローラ22，23が、ガイドレール14内壁面に形成された案内溝14b 、14c に係合するよう軸支されており、また、前記案内溝14c に係合しているローラ23の軸５には回転刃３が固定されていて、移動ケース15の移動により、ローラ23が壁面の案内溝14c と摩擦係合して回転駆動され、従って、回転刃３が回転するよう構成されている。
【００１１】
なお、スライドレール14は、側板12、25に対し、側板に一端を固定した板バネ26により上方に付勢されており、また、側板との間に設けたスプリング27によりスライドレール14を図２において時計方向に付勢し、移動ケース15に支承された回転刃３が固定刃８上端と係合するようになっている。
【００１２】
さらに、図２に示すように、押付用紙ガイド板７の基部７a は円筒状に形成され、スライドレール14に形成した円筒状の長溝14a に回動自在に挿入支承されている。なお、符号18は押付用紙ガイド７に貼り付けた腰の弱いマイラーで、これを設けると、用紙の押えをより広い面で押えることができ、押付効果を増すことができる。
【００１３】
用紙カット時は、押付用紙ガイド板７の両端に固定されている解除板６、24を押さえていた移動板２の係合子２b の押えが外れ、ガイド板７は、図４（ａ）に示すように、その両端にセットされているスプリング10で側板12、25側に引張られ、固定刃８へ圧着する。カット動作の終りは、移動ケース15に取付けた移動板２に設けられたリミットスイッチ係合子２a と移動ケース15の両端移動終端位置のマイクロスイッチ17との係合で検知され、モーター16の駆動が止まる。
【００１４】
移動刃３を含むケース移動15は反対側の待機位置にいき、係合子２b が解除板24，６を押すことにより、押付用紙ガイド板７と固定刃８の圧着が解除され、回転式カッターユニットは待機状態になる。
【００１５】
なお、移動ケース15には、図１〜図３に示すように、移動刃３を取付けており、モータ16より歯車19を介してプーリ20、20間に掛け渡された駆動ワイヤ13を移動させ、その両端をスプリング11、11を介して移動ケース15に接続しておき、また、移動刃３と同軸に回転可能に軸５に一体的に支承されたローラ23外周の一部がガイドレール14の側壁溝14c に摩擦係合して、移動ケース15の移動により移動刃３が回転駆動される。また、移動ケース15に取付られたローラ23、小ローラ22、22がガイドレール14の側壁溝14b ，14c との係合することにより、移動ケース15がガイドレール14に沿って案内移動可能とされている。
【００１６】
また、図３に示すように、移動ケース15の移動により、両側に設けられたマイクロスイッチ17を作動させてモータの制御を行い、さらに、両側板12、25に設けられたクッション21、21により、移動ケース15の衝突によるショックを吸収するようにしてある。
【００１７】
【発明の効果】
本発明による回転式カッターユニットにおいては、ガイド板７の基部７a をスライドレール14に形成した長溝14a に挿入支承させることにより、ガイド板７の反りを矯正し、撓みを防止できるので、ロール紙の押えを確実にし、ロール紙カット時の負荷等によるロール紙の斜め切れ、しわ、ジャムなどの発生をなくし、安定したカット動作が実現できる。
【００１８】
また、押付用紙ガイド板７に、図２、図４（ｂ）に示すように、腰の弱いマイラー18を貼り付けることにより、ロール紙の押えをより広い面で押えるようにすることができる。
【図面の簡単な説明】
【図１】本発明による回転式カッターユニットの縦断面図である。
【図２】図１における移動ケース、スライドレール、押付用紙ガイド板の関係を示す拡大図である。
【図３】全体構成を示す平面図である。
【図４】図１のＡ部分の拡大図である。
【図５】移動刃と固定刃によるロール紙の切断状態を解説する説明図である。
【符号の説明】
１  把手
２  移動板
２a ，２b  係合子
３  移動刃
４  押え
５  軸
６  解除板
７  押付用紙ガイド板
８  固定刃
９  ガイド板
10  スプリング
11  スプリング
12  側板
13  駆動ワイヤ
14  スライドレール
14a 長溝
14b，14c 案内溝
15  移動ケース
16  モータ
17  マイクロスイッチ
18  マイラー
19  歯車
20  プーリ
21  クッション
22  ローラ
23  ローラ
24  解除板
25  側板
26  板ばね
27  スプリング
【図１】
0003547211.tif 000002
【図２】
0003547211.tif 000003
【図３】
0003547211.tif 000004
【図４】
0003547211.tif 000005
【図５】
0003547211.tif 000006